(57)【要約】【課題】  デジタル記録装置において、記録動作中に停電や電源コンセントが抜けたりして電源供給が途絶えた場合、録画途中の管理情報はディスクへ書き込みが行なわれていないため、次に電源供給が行なわれた時に、ディスクに残っている管理情報とＡＶデータの矛盾を修正する復旧処理に時間がかかっていた。【解決手段】  停電などの電源供給断後のデータ復旧処理に使用する復旧データを、録画中にディスクに書き込むことにより、再び電源供給が行なわれた際には、復旧データを基にして管理情報を作成し、ＡＶデータと管理情報の矛盾を修正する。このとき、ＡＶデータと復旧データをディスク上の連続した領域に交互に書き込む。【選択図】図１
2004178788.tif 000002
【特許請求の範囲】
【請求項１】
オーディオデータまたはビデオデータの少なくとも何れか１つを含むＡＶデータと、前記ＡＶデータの記録が正常に完了しなかった場合に前記ＡＶデータの管理情報を修復するための復旧データとを記録媒体に記録する装置であって、
一定又は変動する期間ごとに復旧データを生成する手段と、
ＡＶデータを生成する手段と、
前記復旧データを、前記ＡＶデータ記録時に前記ＡＶデータに対してインタリーブしながら記録する記録手段を有することを特徴とする記録装置。
【請求項２】
前記復旧データは、記録された前記ＡＶデータの記録位置情報を含むことを特徴とする請求項１記載の記録装置。
【請求項３】
前記復旧データは、記録された前記ＡＶデータのファイル管理情報を含むことを特徴とする請求項１記載の記録装置。
【請求項４】
前記復旧データは、記録された前記ＡＶデータの再生時間に関する情報を含むことを特徴とする請求項１記載の記録装置。
【請求項５】
前記ＡＶデータはＭＰＥＧ方式で圧縮されたデータであって、前記復旧データは、記録された前記ＡＶデータのＩピクチャの先頭アドレスを含むことを特徴とする請求項１記載の記録装置。
【請求項６】
前記復旧データは、シリアル番号または時間情報を含むことを特徴とする請求項１記載の記録装置。
【請求項７】
前記復旧データは、前に記録された復旧データの記録位置情報を含むことを特徴とする請求項１記載の記録装置。
【請求項８】
前記復旧データは、前に記録された復旧データからの差分情報を含むことを特徴とする請求項１記載の記録装置。
【請求項９】
前記復旧データは、前に記録された復旧データで得られた情報も含むことを特徴とする請求項１記載の記録装置。
【請求項１０】
前記復旧データは、次の復旧データ位置情報を含むことを特徴とする請求項１記載の記録装置。
【請求項１１】
前記復旧データは、復旧データを識別する識別情報を含むことを特徴とする請求項１記載の記録装置。
【請求項１２】
前記復旧データは、前記ＡＶデータの所定のサイズ毎にインタリーブされることを特徴とする請求項１記載の記録装置。
【請求項１３】
前記復旧データは、前記ＡＶデータを所定の時間記録する毎にインタリーブされることを特徴とする請求項１記載の記録装置。
【請求項１４】
前記復旧データは、前記ＡＶデータを所定の単位記録する毎にインタリーブされることを特徴とする請求項１記載の記録装置。
【請求項１５】
予め定められた箇所に前記復旧データのアドレスを示す復旧データ位置情報を記憶する手段を有することを特徴とする請求項１記載の記録装置。
【請求項１６】
前記予め定められた箇所は、前記記録媒体に設けた箇所であることを特徴とする請求項１５記載の記録装置。
【請求項１７】
前記記録媒体に設けた箇所は、記録媒体における特定位置であって、一つまたは複数のバンクを有することを特徴とする請求項１６記載の記録装置。
【請求項１８】
前記記録媒体に設けた箇所は、記録媒体中に存在する所定の一つ又は複数のファイルであることを特徴とする請求項１６記載の記録装置。
【請求項１９】
前記記録媒体とは別の記録部材を設け、前記予め定められた箇所は、前記記録部材に設けた箇所であることを特徴とする請求項１５記載の記録装置。
【請求項２０】
前記記録部材は、取り出し可能に設けたことを特徴とする請求項１９記載の記録装置。
【請求項２１】
前記復旧データ位置情報は、復旧データのシリアル番号または時間情報を含むことを特徴とする請求項１５記載の記録装置。
【請求項２２】
オーディオデータまたはビデオデータの少なくとも何れか１つを含むＡＶデータと、前記ＡＶデータの記録が正常に完了しなかった場合に前記ＡＶデータの管理情報を修復するための復旧データとを記録媒体に記録する方法であって、
一定又は変動する期間ごとに復旧データを生成し、
ＡＶデータを生成し、
前記復旧データは前記ＡＶデータ記録時に前記ＡＶデータに対してインタリーブしながら記録することを特徴とする記録方法。
【請求項２３】
前記復旧データは、記録された前記ＡＶデータの記録位置情報を含むことを特徴とする請求項２２記載の記録方法。
【請求項２４】
前記復旧データは、記録された前記ＡＶデータのファイル管理情報を含むことを特徴とする請求項２２記載の記録方法。
【請求項２５】
前記復旧データは、記録された前記ＡＶデータの再生時間に関する情報を含むことを特徴とする請求項２２記載の記録方法。
【請求項２６】
前記ＡＶデータはＭＰＥＧ方式で圧縮されたデータであって、前記復旧データは、記録された前記ＡＶデータのＩピクチャの先頭アドレスを含むことを特徴とする請求項２２記載の記録方法。
【請求項２７】
前記復旧データは、シリアル番号または時間情報を含むことを特徴とする請求項２２記載の記録方法。
【請求項２８】
前記復旧データは、前に記録された復旧データの記録位置情報を含むことを特徴とする請求項２２記載の記録方法。
【請求項２９】
前記復旧データは、前に記録された復旧データからの差分情報を含むことを特徴とする請求項２２記載の記録方法。
【請求項３０】
前記復旧データは、前に記録された復旧データで得られた情報も含むことを特徴とする請求項２２記載の記録方法。
【請求項３１】
前記復旧データは、次の復旧データ位置情報を含むことを特徴とする請求項２２記載の記録方法。
【請求項３２】
前記復旧データは、復旧データを識別する識別情報を含むことを特徴とする請求項２２記載の記録方法。
【請求項３３】
前記復旧データは、前記ＡＶデータの所定のサイズ毎にインタリーブされることを特徴とする請求項２２記載の記録方法。
【請求項３４】
前記復旧データは、前記ＡＶデータを所定の時間記録する毎にインタリーブされることを特徴とする請求項２２記載の記録方法。
【請求項３５】
前記復旧データは、前記ＡＶデータを所定の単位記録する毎にインタリーブされることを特徴とする請求項２２記載の記録装置。
【請求項３６】
予め定められた箇所に前記復旧データのアドレスを示す復旧データ位置情報を記憶することを特徴とする請求項２２記載の記録方法。
【請求項３７】
前記予め定められた箇所は、前記記録媒体に設けた箇所であることを特徴とする請求項３６記載の記録方法。
【請求項３８】
前記記録媒体に設けた箇所は、記録媒体における特定位置であって、一つまたは複数のバンクであることを特徴とする請求項３７記載の記録方法。
【請求項３９】
前記記録媒体に設けた箇所は、記録媒体中に存在する所定の一つ又は複数のファイルであることを特徴とする請求項３７記載の記録方法。
【請求項４０】
前記予め定められた箇所は、前記記録媒体とは別の記録部材に設けた箇所であることを特徴とする請求項３６記載の記録装置。
【請求項４１】
前記記録部材は、取り出し可能に設けたことを特徴とする請求項４０記載の記録方法。
【請求項４２】
前記復旧データ位置情報は、復旧データのシリアル番号または時間情報を含むことを特徴とする請求項３６記載の記録装置。
【発明の詳細な説明】
【技術分野】
【０００１】
本発明は、デジタル記録装置に関し、特に電源供給が絶たれた際に、ディスクに残っている管理情報とＡＶデータの矛盾を修正する復旧処理の効率化技術に関する。
【背景技術】
【０００２】
近年、ハードディスクドライブ（以後、ＨＤＤと表記）、Ｄｉｇｉｔａｌ  Ｖｅｒｓａｔｉｌｅ  Ｄｉｓｋ（以後、ＤＶＤと表記）、Ｂｌｕ−ｒａｙ Ｄｉｓｃ（以後、ＢＤと表記）といったデジタル記録デバイスに、テレビ番組やムービーで撮影した映像を録画するデジタル記録装置が広く普及しつつある。
【０００３】
このようなデジタル記録装置では、ＭＰＥＧ（Ｍｏｖｉｎｇ  Ｐｉｃｔｕｒｅ  Ｅｘｐｅｒｔｓ  Ｇｒｏｕｐ）などの符号化したＡＶデータに加え、そのＡＶデータのタイトル・録画日時・アスペクト・ＡＶデータの構成情報（データサイズ、タイムテーブル、フレーム数など）などを含んだ管理情報をデジタル記録デバイスに記録する。
【０００４】
従来例である（特許文献１）では、光ディスクや光磁気ディスクなどのデジタル記録デバイスを用いた情報記録装置であって、電源投入・電源切断時およびディスク挿入・取り出し時の処理に必要な時間を短縮することを目的としている。
【０００５】
この（特許文献1）では、記録領域を複数のゾーンに分割し、磁気ヘッドが現在位置するゾーンまたは磁気ヘッドの現在位置に最も近いゾーンのＡＶ管理領域に管理情報を記録している。また、記録媒体カートリッジに内蔵された不揮発メモリに管理情報を記録したエリアのアドレスを保持しておき、電源投入時およびディスク挿入時には、不揮発メモリに保持されたアドレスを参照して管理情報を読み出すことを特徴としている。
【０００６】
これにより、管理情報の書き込みのための磁気ヘッドのシーク時間を短くすること可能としており、電源投入・電源切断時およびディスク挿入・取り出し時の処理に必要となる時間を短縮可能としている。
【０００７】
【特許文献１】特開２００２−２６０３６８号公報
【発明の開示】
【発明が解決しようとする課題】
【０００８】
従来例においては、電源投入・電源切断時およびディスク挿入・取り出し時の管理情報書き込みのための磁気ヘッドシーク処理時間を短縮することを目的としており、管理情報をデジタル記録デバイスに書き込むタイミングは電源切断時およびディスク取り出し時のみである。
【０００９】
しかしながら、録画動作中に停電や電源コンセントが抜けた時など電源供給が途絶えた場合、録画途中の管理情報はデジタル記録デバイスへの書き込むが行われていないため、次に電源供給が行なわれた時には、書き込みされなかった期間の管理情報は消失してしまう。このような場合、次に電源供給が行なわれた時に、ディスクに残っている管理情報とＡＶデータの矛盾が生じるため、その矛盾を修正する復旧処理が必要となる。
【００１０】
復旧処理時のＡＶデータと管理情報との矛盾を修正する方法としては、ディスクに残ったＡＶデータに合わせて消失した管理情報を補間する方法と、ディスクに残った管理情報に合わせてＡＶデータを削除する方法が考えられる。前者は、ＡＶデータの解析した結果を基に管理情報を補間するため、ＡＶデータ解析に時間を要する問題がある。また、後者は、前回ディスクを取り出したタイミングまたは前回電源切断したタイミングにデジタル記録デバイスに書き込んだ管理情報しか残っていないため、停電などで電源供給が途絶える直前まで録画していたＡＶデータに相当する管理情報が電源供給断により失われ、電源供給が途絶える直前まで録画していた番組のＡＶデータが削除される問題がある。
【００１１】
また、一般データを対象とした復旧データの記録においては、実時間処理を必ずしも必要としないが、ＡＶデータを対象とする復旧データの記録においては、実時間処理が要求される。なぜならば、ＡＶデータの記録中にヘッドのシークが発生し、他の領域に復旧データが記録されたのち、元の場所へシークして、続きからＡＶデータが記録されると、2回のシークと復旧データの記録が行われている期間は、ＡＶデータをバッファメモリに蓄える必要がある。この期間に発生するＡＶデータを蓄えるために十分なバッファメモリを備えると、機器のコストが高くなるという問題がある。
【００１２】
本発明では、上述のような録画動作中に停電や電源コンセントが抜けた時など電源供給が途絶えた場合において、ディスクに残っている管理情報とＡＶデータの矛盾を修正する復旧処理を効率よく実現するデジタル記録装置を提供することを目的とする。
【課題を解決するための手段】
【００１３】
第1の発明は、オーディオデータまたはビデオデータの少なくとも何れか１つを含むＡＶデータと、前記ＡＶデータの記録が正常に完了しなかった場合に前記ＡＶデータの管理情報を修復するための復旧データとを記録媒体に記録する装置であって、
一定又は変動する期間ごとに復旧データを生成する手段と、
ＡＶデータを生成する手段と、
前記復旧データを、前記ＡＶデータ記録時に前記ＡＶデータに対してインタリーブしながら記録する記録手段を有することを特徴とする記録装置である。
【００１４】
第２の発明は、オーディオデータまたはビデオデータの少なくとも何れか１つを含むＡＶデータと、前記ＡＶデータの記録が正常に完了しなかった場合に前記ＡＶデータの管理情報を修復するための復旧データとを記録媒体に記録する方法であって、
一定又は変動する期間ごとに復旧データを生成し、
ＡＶデータを生成し、
前記復旧データは前記ＡＶデータ記録時に前記ＡＶデータに対してインタリーブしながら記録することを特徴とする記録方法である。
【００１５】
本発明によれば、ＡＶデータ記録時に復旧データの記録が発生してもＡＶデータの記録レートの低下を少なくすることが可能となる。
【００１６】
また、発明によれば、ＡＶデータの復旧処理を可能としている。
【００１７】
本発明では、復旧データは、記録されたＡＶデータのファイル管理情報を含むことを特徴とする。
【００１８】
これによれば、ＡＶデータの復旧処理を可能としている。
【００１９】
本発明では、復旧データは、記録されたＡＶデータの再生時間に関する情報を含むことを特徴とする。
【００２０】
これによれば、復旧処理に必要な時間を短縮可能としている。
【００２１】
本発明では、ＡＶデータはＭＰＥＧ方式で圧縮されたデータであって、復旧データは、記録された前記ＡＶデータのＩピクチャの先頭アドレスを含むことを特徴とする。
【００２２】
これによれば、復旧処理を容易に実現可能としている。
【００２３】
本発明では、予め定められた領域に復旧データのアドレスを示す復旧データ位置情報を保持することを特徴とする。
【００２４】
これによれば、復旧処理を容易に実現可能としている。
【００２５】
本発明では、復旧データ位置情報は複数のバンクから成ることを特徴とする。
【００２６】
これによれば、記録回数に制限のある記録メディアでも、復旧処理が容易に実現可能としている。
【００２７】
本発明では、予め定められた特定の名前の復旧データファイルに復旧データのアドレスを示す復旧データ位置情報を保持することを特徴とする。
【００２８】
これによれば、記録回数に制限のある記録メディアでも、復旧処理が容易に実現可能としている。
【００２９】
本発明では、複数の復旧データファイルを有することを特徴とする。
【００３０】
これによれば、記録回数に制限のある記録メディアでも、復旧処理が容易に実現可能としている。
【００３１】
本発明では、復旧データ位置情報はシリアル番号または時間情報を有することを特徴とする。
【００３２】
これによれば、複数の復旧データ位置情報から容易に最新の復旧位置情報を判別可能としている。
【００３３】
本発明では、復旧データは少なくとも２つ以上存在し、それぞれがＡＶデータ記録時にＡＶデータに対してインタリーブしながら記録されることを特徴とする。
【００３４】
これによれば、ＡＶデータ記録時に復旧データの記録が発生してもＡＶデータの記録レートの低下を少なくすること可能としている。
【００３５】
本発明では、復旧データは、前に記録された復旧データの記録位置情報を含むことを特徴とする。
【００３６】
これによれば、復旧データのサーチを容易にすることを可能としている。
【００３７】
本発明では、復旧データは、前に記録された復旧データからの差分情報を含むことを特徴とする。
【００３８】
これによれば、ＡＶデータ記録時に復旧データの記録が発生してもＡＶデータの記録レートの低下を少なくすること可能としている。
【００３９】
本発明では、復旧データは次の復旧データ位置情報を有することを特徴とする。
【００４０】
これによれば、次の復旧データのサーチを容易にすることを可能としている。
【００４１】
本発明では、復旧データに、復旧データの識別情報を記録することを特徴とする。
【００４２】
これによれば、容易にＡＶデータと復旧データの判別を可能としている。
【００４３】
本発明では、復旧データは、ＡＶデータの所定のサイズ毎にインタリーブされることを特徴とする。
【００４４】
これによれば、容易に復旧データのサーチを可能としている。
【００４５】
本発明では、復旧データは、ＡＶデータを所定の時間記録する毎にインタリーブされることを特徴とする。
【００４６】
これによれば、容易に復旧データのサーチを可能としている。
【００４７】
本発明では、復旧データは、ＡＶデータの所定の単位記録する毎にインタリーブされることを特徴とする。
【００４８】
これによれば、容易に復旧データの復旧処理を可能としている。
【００４９】
本発明では、復旧データが記録されたアドレス情報を記録部材、例えば不揮発メモリに記録することを特徴とする。
【００５０】
これによれば、復旧データの記録位置が更新される度に最新の復旧データ位置情報を不揮発メモリに保持することができ、復旧処理時に容易に最新の復旧データの位置を取得することが可能となる。
【００５１】
本発明では、復旧データが記録されたアドレス情報を記録する不揮発メモリは、取り出し可能に構成されることを特徴とする。
【００５２】
これによれば、ＡＶデータの記録を行った機器と異なる機器で復旧が可能であり、記録を行った機器が使用不可能になった場合などに対応できる。
【００５３】
本発明では、復旧データは、シリアル番号または時間情報を有することを特徴とする。
これによれば、復旧データに記録されたシリアル番号または時間情報を用いることで、最新の復旧データを見つけることができる。
【発明の効果】
【００５４】
以上のように本発明によれば、録画動作中に停電や電源コンセントが抜けた時など電源供給が途絶えた場合において、ディスクに残っている管理情報とＡＶデータの矛盾を修正する復旧処理を効率よく実現できる。
【発明を実施するための最良の形態】
【００５５】
以下、本発明のデジタル記録装置および記録方法に関する実施形態について、図面を参照しながら説明する。
【００５６】
（第１の実施形態）
図１は第１の実施形態の記録装置の構成を示した図である。第１の実施形態の記録装置は、エンコード部１０１と、記録部１０２と、制御部１０３を含む構成である。入力されるＡＶ信号はオーディオデータまたはビデオデータの少なくともいずれか一つを含む。
【００５７】
エンコード部１０１は、入力ＡＶ信号をＭＰＥＧなどの圧縮符号化を行い、ＡＶデータを出力する。また、ＡＶデータのＧＯＰ（Ｇｒｏｕｐ  Ｏｆ  Ｐｉｃｔｕｒｅ）データサイズ、Ｉピクチャデータサイズ（Ｉｎｔｒａピクチャデータサイズ）・フレーム数・オーディオ属性情報（モノラル、ステレオ、音声多重など）等のパラメータを制御部１０３に通知する。本実施形態では圧縮符号化方式をＭＰＥＧとして説明するが、圧縮符号化方式はＭＰＥＧに限定するものではなく、他の圧縮符号化方式でも構わない。
【００５８】
記録部１０２は、ＨＤＤ、ＤＶＤ、ＢＤなどの光ディスクや光磁気ディスク等の記録媒体に記録動作を行なう記録デバイスを含む。記録部１０２は、エンコード部１０１からのＡＶデータと、制御部１０３からの管理情報および復旧データを受け、ＡＶデータの記録制御および記録蓄積を行う。この復旧データとは、記録途中の停電などにより電源供給が途絶え、ＡＶデータの記録が正常に完了しなかった場合に、ＡＶデータの管理情報を修復することを可能とする補助データのことである。
【００５９】
制御部１０３は、ＡＶデータの管理情報と復旧データを記録部１０２に記録する制御を行なう。管理情報は、エンコード部１０１からのパラメータを基にＡＶデータのデータサイズ・Ｉピクチャサイズ・フレーム数・オーディオ属性情報などのＡＶデータに関する情報と、番組タイトル名・放送日時情報・放送チャンネル情報・番組ジャンル情報などの番組内容に関する情報を含む。また、復旧データは、管理情報の作成に必要な各種パラメータで構成される。管理情報の記録部１０２への書き込みは電源切断時、蓄積メディアの取り出し時、録画の終了時などに行う。
【００６０】
記録部１０２は、記録位置情報生成手段１０４、前の復旧データ位置情報生成手段１０５、後続の復旧データ位置情報生成手段１０６、差分情報生成手段１０７、復旧データ分割手段１０８、インタリーブ手段１０９、終了フラグ記録手段１１０を有する。記録部１０２は、１０４〜１１０の各手段により復旧データを構成し、ディスクなどへ書き込み制御をおこなう。
【００６１】
記録位置情報生成手段１０４は、記録されたＡＶデータおよび復旧データの記録位置情報を生成する。前の復旧データ位置情報生成手段１０５は、直前に記録された復旧データの記録位置情報を生成する。後続の復旧データ位置情報生成手段１０６は、後続の復旧データ位置情報を生成する。差分情報生成手段１０７は、前に記録された復旧データからの差分情報を生成する。復旧データ分割手段１０８は、復旧データを少なくとも２つ以上のデータに分割する。インタリーブ手段１０９は、ＡＶデータと復旧データをインタリーブしながら記録する。終了フラグ記録手段１１０は、新たにＡＶデータを記録する際に、ＯＦＦ状態の終了フラグを生成し、ＡＶデータおよびファイル管理情報などの全ての情報が記録部１０２により記録された際に、ＯＮ状態の終了フラグを生成する。生成された終了フラグは、機器に設けたメモリ（例えばフラッシュメモリ）に記録される。この終了フラグは停電などによる電源供給が途絶えた時に、記録媒体（ＨＤＤ，ディスク等）にデータの記録が終了しておらず、復旧データを使用して復旧処理が必要であることを示す。つまり、電源起動時に終了フラグがＯＮかＯＦＦかを参照し、ＯＦＦの場合には正常にデータの記録が終了しなかったと判断して復旧データを用いて復旧処理を行い、ＯＮの場合には復旧処理は行わない。
【００６２】
制御部１０３は、復旧データ作成手段１１１を有する。復旧データ作成手段１１１は、復旧データの各種パラメータの生成、取得を行い、復旧データを作成する。作成されたデータは、記録部１０２で書き込みが行なわれる。また、復旧データ作成手段１１１は、ファイル管理情報生成手段１１２、再生時間取得手段１１３、Ｉピクチャアドレス取得手段１１４、シリアル番号生成手段１１５、時間情報生成手段１１６、識別情報生成手段１１７を有する。
ファイル管理情報生成手段１１２は、記録されたＡＶデータのファイル管理情報を生成する。再生時間取得手段１１３は、記録されたＡＶデータの再生時間に関する情報を取得する。Ｉピクチャアドレス取得手段１１４は、ＡＶデータはＭＰＥＧ方式で圧縮されたデータである場合に、記録されたＡＶデータのＩピクチャの先頭アドレスを取得する。シリアル番号生成手段１１５は、復旧データ位置情報または復旧データのそれぞれのシリアル番号を生成する。時間情報生成手段１１６は、復旧データ位置情報または復旧データを記録した時間情報を生成する。識別情報生成手段１１７は、復旧データと他の記録されたデータと区別する識別情報を生成する。
なお、図１では、１１２〜１１７を有する復旧データ作成手段１１１、および１０４〜１１０の各手段を有する記録部１０２の構成を示したが、復旧データ作成手段１１１は、復旧データを作成するものであれば、別の構成でよい。また、１１２〜１１７の全てではなく、いずれかの手段有してもよい。また、記録部１０２は、少なくともインタリーブ手段１０９を有していればよい。
【００６３】
図２は、記録部１０２によって記録されるＡＶデータおよび復旧データが記録媒体（ディスク、ＨＤＤ等。以下ではディスクの例で説明する。）に配置されるイメージを示す図である。図２に示すように、ディスク２０１には、ＡＶデータストリーム２０５を記録するエリア２０２、スーパーブロック２０６を記録するエリア２０３、復旧データ位置情報２０７を記録するエリア２０４がある。スーパーブロックを記録するエリア２０３は、例えばリードインエリアに設けてある。また、復旧データ位置情報を記録するエリア２０４は、スーパーブロックの記録エリア２０３の近傍に設けてある。ＡＶデータ記録エリア２０２に記録されるＡＶデータストリームはＡＶデータと復旧データが交互にインタリーブされている。２つの復旧データに挟まれたＡＶデータをＡＶデータ片という。
復旧データは、復旧データ識別子２１１、ファイル管理情報２１２、再生時間に関する情報２１３、Ｉピクチャ先頭アドレス２１４、前復旧データ位置情報２１５、次復旧データ位置情報２１６、シリアル番号２１７が含まれる。これら全ての内少なくともいずれか一つが含まれていてもよい。
【００６４】
復旧データ識別子２１１は、識別情報生成手段１１７で生成され、復旧データの先頭に配置される。復旧データ位置情報２０７が読み取れない場合は、復旧データ識別子２１１を検出することにより復旧データを見つけることが可能となる。ファイル管理情報２１２は、ファイル管理情報生成手段１１２で生成され、ファイルやディレクトリの名称、配置セクタ位置、データサイズ、ユーザー名、アクセス権限情報などが含まれる。配置セクタ位置の情報には、ファイルが記録エリア２０２の中で使用した全てのセクタのアドレスを示す情報が含まれる。このファイル管理情報は、スーパーブロックに含まれるファイル管理情報（ファイル属性情報とも言う）に相当する。再生時間に関する情報２１３は、再生時間取得手段１１３で生成され、再生時間の情報が含まれる。Ｉピクチャ先頭アドレス２１４は、Ｉピクチャ取得手段１１４で生成され、ＡＶデータ片に含まれる全てのＩピクチャの先頭アドレス情報が含まれる。簡易的には全てのＩピクチャの代わりに最初のＩピクチャの先頭アドレス情報だけでも良い。前復旧データ位置情報２１５は、前の復旧データ位置情報生成手段１０５で生成され、一つ前の復旧データの位置情報が含まれる。次復旧データ位置情報２１６は、後の復旧データ位置情報生成手段１０６で生成され一つ後の復旧データの位置情報が含まれる。シリアル番号２１７は、シリアル番号生成手段１１５で生成され、復旧データに対しシリアル番号が付与される。このシリアル番号は、一つの記録媒体に対し重複しない連続したシリアル番号が付与される。
【００６５】
ＡＶデータストリームの記録について説明する。
ＡＶデータストリームの記録が開始される場合、機器のフラッシュメモリに記録されている終了フラグがＯＦＦにされると共に、最初の復旧データが作成される。最初の復旧データは、ＡＶデータ記録エリア２０２の選ばれた位置から書き込まれる。選ばれた位置のアドレス情報（ＬＢＡやＣＨＳを用いて示される）が、復旧データ位置情報としてエリア２０４に書き込まれる。
つぎに、ＡＶデータ片が書かれ、２つ目の復旧データが作成され、今書かれたＡＶデータ片の後に書き込まれる。
最後のＡＶデータ片の記録が終われば、最後の復旧データが作成され、最後のＡＶデータ片の後に書き込まれる。
ＡＶデータに関する管理情報が作成され、その管理情報がスーパーブロック２０３に記録される。その後、終了フラグがＯＮにされる。これでＡＶデータストリームの記録が完了する。
正常に記録されたＡＶデータを再生する場合は、まず、スーパーブロックが書かれたエリア２０３にアクセスし、ＡＶデータに関する管理情報を読み取り、その管理情報に基づいて記録されているＡＶデータを読み取る。
【００６６】
ＡＶデータストリームの記録が完了する前に、例えば停電により電源の供給が中断した場合、ＡＶデータに関する管理情報がスーパーブロックのエリア２０３に記録されないで終わったことになる。例えば、図２の時点Ｔｘで電源の供給が中断したとする。中断後、電源が回復した時点で、記録装置は、終了フラグを検出する。終了フラグがＯＦＦのままであるので、ＡＶデータストリームの記録が完了していないことが検出される。この場合は、エリア２０４にアクセスし、復旧データ位置情報を読み取り、先頭の復旧データにアクセスし、その復旧データを読み取ると共に、次の復旧データにアクセスし、その復旧データも読み取る。この様にして、記録されている復旧データを全て読み出す。図２に示す場合は、４つの復旧データを読み取ることができる。読み取った復旧データに基づき、途中まで記録されたＡＶデータに対する管理情報を作成し、スーパーブロックに書き込む。この場合は最初の３つのＡＶデータ片に対する管理情報が作成され、スーパーブロックに書き込まれる。従って、最初の３つのＡＶデータ片については再生可能となる。
このようにＡＶデータと復旧データを交互にインタリーブして書き込むことにより、ＡＶデータの記録中に復旧データを記録することによるヘッドシークを発生させずに書き込むことが可能となる。よって、ヘッドシークによる書き込みのビットレート低下なしに、ＡＶデータと復旧データを記録エリア２０２へ記録することが可能となる。
【００６７】
続いて、復旧データをＡＶデータへインタリーブするタイミングについて説明する。
図３（Ａ）は、ＡＶデータを固定データ量だけ記録する度に復旧データをインタリーブする場合を示す。例えば、２５６ＭＢのＡＶデータを記録する度に復旧データをインタリーブする。この場合、図１の記録位置情報生成手段１０４は、最初の復旧データの記録が開始される位置のアドレス情報ＡＤ１を生成する。このアドレス情報ＡＤ１は、復旧データ位置情報２０７としてエリア２０４に書き込まれる。最初の復旧データより前の位置に復旧データは存在しないので、前の復旧データ位置情報生成手段１０５からは、何も生成されない。一方、先頭から後の位置には、復旧データが存在するので、2番目の復旧データの記録が開始される位置のアドレス情報ＡＤ２を生成する。この場合、次の関係が成立する。
ＡＤ２＝ＡＤ１  ＋  Ｃ１
ここでＣ１は一定値、例えば２５６ＭＢと復旧データのサイズを加えた量に相当するアドレスのオフセット量となる。復旧データも一定量であるとする。
一般に、ｎ番目の復旧データが記録される場合、記録位置情報生成手段１０４では、ｎ番目の復旧データが記録されるアドレスＡＤｎが生成され、前の復旧データ位置情報生成手段１０５では、ｎ−１番目の復旧データが記録されるアドレスＡＤ（ｎ−１）が生成され、後続の復旧データ位置情報生成手段１０６では、ｎ＋１番目の復旧データが記録されるアドレスＡＤ（ｎ＋１）が生成される。
【００６８】
また、図３（Ｂ）は、ＡＶデータを固定時間だけ記録する度に復旧データをインタリーブする場合を示す。例えば、３０秒間のＡＶデータを記録する度に、または９００フレーム分のＡＶデータを記録する度に復旧データをインタリーブする。この場合、ＡＶデータ片のデータ量が一定でないので、最初の復旧データの記録が開始される位置のアドレス情報ＡＤ１と、２番目の復旧データの記録が開始される位置のアドレス情報ＡＤ２とは、従って、少なくとも１つのＡＶデータ片を保持することができるバッファを設け、ＡＶデータ片のデータサイズを取得して後の復旧データ位置情報を生成することが可能となる。
また、図３（Ｃ）は、ＡＶデータを固定ＡＶデータ単位だけ記録する度に復旧データをインタリーブする場合を示す。例えば、４０ＧＯＰのＡＶデータを記録する度に、または４０フレームのイントラピクチャを記録する度に復旧データをインタリーブする。この場合も、ＡＶデータ片のデータ量が一定でないので、少なくとも１つのＡＶデータ片を保持することができるバッファを設ける必要がある。
また、ＡＶデータ読み書き用の一時バッファの残量や、読み書き処理の待ち状態にある読み書きリクエストの数などを基にして、記録エリア２０２への読み出しアクセスや書き込みアクセスが一定頻度以下であるタイミング（すなわち、記録エリア２０２に対するアクセスに余裕があり、記録エリア２０２に復旧データを書き込む余力があるタイミング）で復旧データをＡＶデータにインタリーブすることも可能である。
上述したタイミング、もしくは、これらの組み合わせによるタイミングで復旧データをＡＶデータへインタリーブして記録領域２０２に書き込む。
【００６９】
図４の（Ａ）および（Ｂ）は、各復旧データと対応するＡＶデータの関係を説明する図である。ＡＶデータ片が増え、記録されるＡＶデータ量が増えれば、記録した時点までのＡＶデータ全体の復旧に必要な復旧データも増える。例えば、Ｉピクチャの数が増えるので、Ｉピクチャ先頭アドレスの情報も増える。また、使用するセクタも増えるので、配置セクタ位置情報を含むファイル管理情報も増える。
図４（Ａ）では、ファイルをオープンした時から記録した全てのＡＶデータ片を復旧するために必要な復旧データを書きこむ場合を示す。従って、図４（Ａ）の場合は、ＡＶデータの記録時間が長くなる程、一つの復旧データに書き込むデータ量が徐々に増加していく。
一方、図４（Ｂ）では、直前のＡＶデータ片を復旧するために必要な復旧データ（すなわち差分だけのデータ）を書き込む場合を示す。図４（Ｂ）では、直前のＡＶデータ片だけを復旧するために必要な復旧データを書き込むので、ＡＶデータの記録時間に関係なく、一つの復旧データに書き込むデータ量は、一定、又は、ほぼ一定である。
図４（Ｂ）は（Ａ）と比較して、復旧データの情報量を少なくする事が可能である。ただし、図４（Ａ）の場合は、最終の復旧データのみで全ＡＶデータ片を復旧させることができるのに対し、図４（Ｂ）の場合は、最初の復旧データから最後の復旧データの全てを集めて、全ＡＶデータ片を復旧させることができる。
【００７０】
図４（Ｂ）のように、復旧データの情報量が小さくなれば、復旧データを記録する間にＡＶデータを蓄積するためのバッファメモリのサイズを小さく出来るので、機器を作る時にコストダウンを図ることが出来る。
【００７１】
なお、復旧データに次復旧データ位置情報２１６を含まず、前復旧データ位置情報２１５を含む場合は、最新の復旧データの位置情報から一つ前の復旧データを順番に集めることにより、全ての復旧データを取得することが出来る。この場合、エリア２０４には復旧データ位置情報として、最新の復旧データの位置情報を記録する様にしても良い。
【００７２】
また、復旧データに前復旧データ位置情報２１５を含まず、次復旧データ位置情報２１６を含む場合は、最初の復旧データの位置情報から一つ後の復旧データを順番に集めることにより、全ての復旧データを取得することが出来る。この場合、エリア２０４には復旧データ位置情報として、最初の復旧データの位置情報を記録する様にしても良い。
【００７３】
図５は復旧データ位置情報を説明する図である。
【００７４】
図５（Ａ）は、エリア２０４に、復旧データ位置情報を記録する場合の例である。エリア２０４は、例えばリードインエリアの先頭の４バイトの領域や、ディスクの最外周や最内周などに設ける。このエリア２０４は、記録エリア２０２に記録されているデータ内容と異なり、一意に特定し読み書きすることが可能な領域である。また、復旧データ位置情報２０７は、例えば、復旧データが配置されている位置を示すＬＢＡ（Ｌｏｇｉｃａｌ  Ｂｌｏｃｋ  Ａｄｄｒｅｓｓｉｎｇ）やＣＨＳ（Ｃｙｌｉｎｄｅｒ  Ｈｅａｄ  Ｓｅｃｔｏｒ）などのセクタ位置情報である。一意に配置場所が特定可能な情報であればＬＢＡやＣＨＳ以外でも構わない。
【００７５】
図５（Ａ）に示す例においては、エリア２０４には複数のバンク、例えばバンク１、バンク２、バンク３が設けられている。最初のＡＶデータストリーム（例えば映画）を記録する際、そのＡＶデータストリームの最初の復旧データが記録される位置情報が、バンク１に例えばＬＢＡの形式で記録される。さらにこの例では、最初の復旧データのシリアル番号も記録される。シリアル番号は省略しても良い。２本目のＡＶデータストリーム（例えば野球中継）を記録する際、そのＡＶストリームの最初の復旧データの位置情報が、バンク２を用いて記録される。３本目のＡＶデータストリーム（例えばニュース番組）を記録する際、そのＡＶストリームの最初の復旧データの位置情報が、バンク３を用いて記録される。４本目のＡＶデータストリーム（例えばゴルフ中継）を記録する際、そのＡＶストリームの最初の復旧データの位置情報が、バンク１を用いて記録される。
バンクは、一つでも良いが、この様に複数、例えばバンク１、バンク２、バンク３設けることにより、複数のバンクに復旧データ位置情報を順番に上書きして用いることができる。これにより、エリア２０４のバンクあたりの書き換え回数を減らすことが可能となる。よって、光ディスクやフラッシュメモリなどのように一箇所の書き換え回数に制限があるような記録メディアの場合、記録メディア全体の書き換え回数を増やすことが可能となる。復旧データ位置情報にシリアル番号を付加することにより、複数のバンクの内、もっとも新しい復旧データの判別が可能とする。シリアル番号の代わりに時間情報を付加する様にしても良い。
【００７６】
また、復旧データ位置情報は複数のバンクに順番に記録されるようにすることで、復旧データ位置情報の書き換え途中での電源供給断などによる書き込みが失敗しても、それよりも以前に書き込まれた復旧データ位置情報を用いて復旧が可能となる。
【００７７】
図５（Ｂ）は復旧データ位置情報をファイルとして保持する例を示す。上記のように予め定められた特定のエリア２０４に記録する他に、予め定められた特定の名前のファイルに復旧データ位置情報を保持する。この復旧データを保持するファイルを複数有する場合は、ファイル名または復旧データ内にシリアル番号または時間情報を付加することにより、複数のファイルから最新のファイルを判別することが可能となる。
【００７８】
復旧データ位置情報がなくても、復旧データの識別情報を用いて、復旧データを見つけることができる。すなわち、復旧データの先頭にはＡＶデータには存在しないビットパターンの識別情報を有するので、この識別情報をサーチすることで、復旧データを判別できる。
【００７９】
このように、復旧データ中に、その識別情報が記録される場合には、復旧データの位置情報がディスク上に記録されなくても良い。ＡＶデータがＭＰＥＧデータである場合には、ＭＰＥＧのヘッダ情報から、ＡＶデータが記録されていることがわかる。このように、ＡＶデータが記録されているかどうかは容易に認識できる。このため、復旧データにＡＶデータと異なる識別情報を記録することで、ＡＶデータが記録されていることを認識した上で、復旧データを検索することが出来、ＡＶデータ以外のデータと復旧データとの区別がより確実に出来る。
なお、最新の復旧データを示すためにシリアル番号または時間情報を用いてもよい。この場合、最大のシリアル番号または一番新しい時間情報をもつ復旧データが最新のデータであることがわかる。このため、ディスク上に、複数の復旧データが検出されても、最新の復旧データを検出できる。
【００８０】
また、図３（Ａ）のように、ＡＶデータと復旧データを各々予め定められた固定長サイズ（バイト数、セクタ数、ブロック数など）で交互にインタリーブする場合は、上記識別情報が無くても次の復旧データの配置位置が判別可能となる。
【００８１】
また、復旧データに次の復旧データの開始位置情報（ＬＢＡまたはＣＨＳまたはバイトやセクタのオフセット情報など）を有する。この場合は、次に書き込むＡＶデータ片のサイズが確定した後に、復旧データの書き込みに続いて、そのサイズ分のＡＶデータ片を書き込む。
【００８２】
また、復旧データは、録画中のＡＶデータの記録エリア２０２の位置情報を含む。例えば、この位置情報は、ＡＶデータが配置されているＬＢＡやＣＨＳ情報などのセクタ位置情報である。復旧データにＡＶデータの位置情報を含むことにより、電源供給断の後の復旧処理を行う場合は、ファイルシステムのＡＶデータ配置位置情報を復旧することが可能となる。
【００８３】
ＡＶデータと復旧データがインタリーブして記録されるため、本発明では、最新の復旧データの位置まで記録されているＡＶデータに対するファイル管理情報を修復することが出来る。また、空き領域が分散したディスクにＡＶデータが記録された場合、本発明では、復旧データに、それまで記録したＡＶデータの位置情報を記録することにより、分散された空き領域のどこに記録されたか分かり、復旧データを用いて復旧することが出来る。
【００８４】
また、復旧データは、録画中のＡＶデータのファイル管理情報を含む。これにより、電源供給が途絶える前のファイルシステムのファイル管理情報を復旧することが可能となる。
【００８５】
一般に、新たにファイルを作成してデータを書き込む場合には、予めそのデータを記録する領域を確保する。そのために、ファイルシステムは空き領域を管理するビットマップを更新し、ファイル管理情報に新たなファイルの情報を追加する。この時、変更されたファイル管理情報は一旦キャッシュに保持される。しかしながら、このキャッシュに保持された内容が、ディスクに書き込まれる前に、電源供給が途絶えた場合には、キャッシュ上のファイル管理情報が無くなる。本発明によれば、ＡＶデータと復旧データをインタリーブしながら記録するので、ＡＶデータにインタリーブされた復旧データを用いてファイル管理情報を復旧させることができる。
【００８６】
また、復旧データは、ＡＶデータの再生時間に関する情報を含む様にすることもできる。再生時間に関する情報には、ＡＶデータのＧＯＰデータサイズ、Ｉピクチャデータサイズ・フレーム数・オーディオ属性情報などと再生時間とを対応付けたタイムテーブルを含む。タイムテーブルを利用することにより、特殊再生（早戻し、早送り、指定時間のフレームの再生など）が可能となる。この再生時間に関する情報は、復旧処理時にＡＶデータを解析することにより再構築することが可能であるが、ＡＶデータの解析には時間がかかる。よって、再生時間に関する情報を復旧データの一部として記録することにより、復旧処理において、ＡＶデータを解析することなく再生時間に関する情報を取得することが可能となり、復旧処理に必要となる時間を短縮することができる。
【００８７】
また、復旧データは、ＡＶデータのＩピクチャの先頭アドレスを含む。Ｉピクチャの先頭アドレスは、ＬＢＡやＣＨＳで表される情報に限らず、ＡＶデータのファイルの先頭からのバイトオフセットやセクタ・ブロックなどの固定バイトのオフセットで表すことの可能である。このＩピクチャの先頭アドレスは、復旧処理時にＡＶデータを解析することにより再構築することが可能であるが、ＡＶデータの解析には時間がかかる。よって、Ｉピクチャの先頭アドレスを復旧データとして記録することにより、復旧処理において、ＡＶデータを解析することなくＩピクチャの先頭アドレスを取得することが可能となり、復旧処理に必要となる時間を短縮することができる。
【００８８】
ＧＯＰデータサイズ、Ｉピクチャデータサイズ・フレーム数・オーディオ属性情報は、エンコーダ部１０１においてＡＶデータの生成時にリアルタイムに生成されるものである。このため、これらの情報を復旧データの一部として、ＡＶデータにインタリーブしながら記録すれば、これらの情報とＡＶデータの関連性が保持され、復旧が効率的に行える。
【００８９】
続いて、図６に示す記録処理のフローチャートについて説明する。
【００９０】
本記録方式は、復旧データ作成ステップ４０１、記録位置情報生成ステップ４０８、前の復旧データ位置情報生成ステップ４０９、後続の復旧データ位置情報生成ステップ４１０、差分情報生成ステップ４１１、復旧データ分割ステップ４１２、インタリーブステップ４１３を有する。
【００９１】
復旧データ作成ステップ４０１は、復旧データの各種パラメータの生成を行い、復旧データを構成する。復旧データ作成ステップ４０１は、ファイル管理情報生成ステップ４０２、再生時間取得ステップ４０３、Ｉピクチャアドレス取得ステップ４０４、シリアル番号生成ステップ４０５、時間情報生成ステップ４０６、識別情報生成ステップ４０７を有する。
ファイル管理情報生成ステップ４０２は、記録されたＡＶデータのファイル管理情報を生成する。再生時間取得ステップ４０３は、記録されたＡＶデータの再生時間に関する情報を取得する。Ｉピクチャアドレス取得ステップ４０４は、ＡＶデータがＭＰＥＧ方式で圧縮されたデータである場合に、記録されたＡＶデータのＩピクチャの先頭アドレスを取得する。シリアル番号生成ステップ４０５は、復旧データ位置情報または復旧データのそれぞれにシリアル番号を付与する。時間情報生成ステップ４０６は、復旧データ位置情報または復旧データを記録した時間情報を生成する。識別情報生成ステップ４０７は、復旧データと他の記録されたデータとを区別する識別情報を生成する。
【００９２】
記録位置情報生成ステップ４０８は、記録されたＡＶデータおよび復旧データの記録位置情報を生成する。前の復旧データ位置情報生成ステップ４０９は、直前に記録された復旧データの記録位置情報を生成する。後続の復旧データ位置情報生成ステップ４１０は、後続の復旧データ位置情報を生成する。差分情報生成ステップ４１１は、前に記録された復旧データからの差分情報（例えば、記録した全てのＡＶデータ片の内、今回のＡＶデータ片にのみ存在するＩピクチャの先頭アドレス情報）を生成する。復旧データ分割ステップ４１２は、復旧データを少なくとも２つ以上のデータに分割する。インタリーブステップ４１３は、ＡＶデータと復旧データをインタリーブしながら記録する。
なお、図６において、復旧データ作成ステップ４０１は、少なくとも４０２〜４０７のいずれかのステップだけでもよい。また、４０８〜４１３の各ステップにおいても、少なくともインタリーブステップ４１３を有していればよい。
【００９３】
なお、本実施形態では、エンコード部１０１において入力ＡＶ信号を圧縮符号化する場合の構成を用いて説明したが、ＢＳデジタル放送などのように、既に圧縮符号化されたＡＶ信号をそのまま記録する場合は、エンコード部１０１では入力ＡＶ信号を圧縮符号化せずに、入力ＡＶ信号からパラメータの抽出のみを行なう。この場合においても、本発明の効果は同様に得られる。
続いて、電源供給開始時の復旧処理を行う場合の処理の流れについて説明する。
図７は、再生に必要な復旧処理のフローチャートである。まず、終了フラグ判定ステップ７０１では、前回のデータの記録処理が正しく終了したかどうかを終了フラグを参照して判断する。終了フラグは、データの記録処理が正しく完了していない場合は終了フラグがＯＦＦとなっており、正しく完了している場合にはＯＮとなっている。終了フラグがＯＦＦの場合、復旧データ位置情報読み取りステップ７０２へ遷移する。復旧データ位置情報読み取りステップ７０２では、エリア２０４に記録された復旧データ位置情報を読み出す。復旧データ位置情報には、記録エリア２０２内の復旧データが記録された位置を示すＬＢＡやＣＨＳが保持されている。その後、復旧データ読み取りステップ７０３において、復旧データを読み取る。次に、次復旧データ位置情報読み取りステップ７０４において、次の復旧データ位置情報を取得する。次に、復旧データ終了判定ステップ７０５では、次の復旧データの有無を判断して読み取るべき復旧データがあるかどうかの判定を行なう。この時、次の復旧データの有無判断は、例えば、取得した次復旧データ位置情報に０が記録されていた場合は次の復旧データは存在しないと判断する。ステップ７０５において、次の復旧データが存在する場合はステップ７０３に遷移して次の復旧データの読み取りを行い、次の復旧データが存在しない場合には、ファイルシステム復旧処理ステップ７０６に遷移する。ステップ７０６では、読み取った復旧データを使用してファイルシステムの復旧を行う。例えば、復旧データの中のファイル管理情報を用いて、記録メディアのエリア２０３にスーパーブロック情報に含まれるファイル属性情報（ファイルやディレクトリの名称、配置セクタ位置、データサイズ、ユーザー名、アクセス権限情報など）の復旧を行う。その後、マウント処理ステップ７０７において、記録メディアに対し、ファイルシステムのマウントを行う。次に、ＡＶデータ復旧処理ステップ７０８では、復旧データの中の再生時間に関する情報およびＩピクチャ先頭アドレスを用いて、特殊再生（早送り、巻き戻しなど）の際に使用するＡＶデータ管理情報の復旧を行う。終了フラグ判定ステップ７０１において、終了フラグがＯＮの場合は、前回の記録が正常に終了しているので、マウント処理ステップ７０９でファイルシステムのマウントを実行して復旧処理は行わずに復旧処理シーケンスを終了する。
【００９４】
なお、復旧データを記録した領域を、あたかもディスク不良領域としてディスク管理情報に登録しておけば、復旧処理時以外の通常のＡＶデータ読み込みの際には復旧データを記録した領域を読み飛ばし、容易にＡＶデータを連続して読み込む事が可能となる。図９（Ａ）は、復旧データを記録した領域をディスク不良領域としてディスク管理情報に登録した場合の説明図である。図９（Ａ）に示すようにＡＶデータの読み込みは、ディスク不要領域を読み飛ばす処理と同じ仕組みで、復旧データを読み飛ばすことが可能となる。
一般的に、効率的な書き込みや読み込みのために、ＡＶデータは、ディスク上の連続した一定サイズ（例えば、２５６ＭＢなど）以上の領域に記録される。また、その一定サイズの連続領域の中に含まれるディスク不良領域のサイズや個数が一定数以下の領域にのみＡＶデータの記録を行う。この時のＡＶデータの記録に使用する連続領域サイズや、その連続領域に含まれるディスク不良領域のサイズや個数の上限については、ＤＶＤやＢＤ（ブルーレイディスク）などのＡＶデータ記録用のファイルシステム規格によってそれぞれ定められている。復旧データを記録した領域を、ディスク不良領域と同様に扱う場合においては、復旧データを記録する領域のサイズや個数も本来のディスク不良領域のサイズや個数に加算した上で、ファイルシステム規格が定める基準を満たした領域にＡＶデータを記録するようにする。これにより、復旧データを記録した場合においても、ファイルシステム規格を満足する効率的な書き込みと読み込みが可能となる。図９（Ｂ）および（Ｃ）は、ファイルシステム規格において、ＡＶデータの記録領域には、Ｎバイトの連続区間内にディスク不良領域が３箇所未満であることが定められている場合の例を説明する図である。図９（Ｂ）では、ディスク不良領域が２箇所と、復旧データが１箇所で合計３箇所がＮバイト区間内に存在するため、ファイルシステム規格の３箇所未満の条件を満たさない。そこで、図９（Ｃ）に示すように、ディスク不良領域と復旧データの領域の合計がＮバイト内に３箇所未満になるように、Ｘバイト分をシフトしてＡＶデータを記録する。図９（Ｃ）では、ＡＶデータの記録領域をＸバイトシフトする例を示したが、ディスク不良領域と復旧データ領域の合計個数が、Ｎバイト内に３箇所以上の場合には、復旧データの記録をキャンセルしたり、復旧データの記録タイミングを遅らせたりすることにより、条件を満たすようにすることも可能である。
【００９５】
（第２の実施形態）
次に、第２の実施形態について説明する。
【００９６】
図８は第２の実施形態の記録装置の構成を示した図である。第２の実施形態の記録装置は、エンコード部５０１と、記録媒体に記録する記録部５０２と、制御部５０３と、記録部材、例えば不揮発メモリ５０４を含む構成である。入力されるＡＶ信号はオーディオデータまたはビデオデータの少なくともいずれか一つを含む。
【００９７】
エンコード部５０１、記録部５０２、制御部５０３は、第１の実施形態と同様であり、本実施形態が第１の実施形態と異なるのは不揮発メモリ５０４を有することである。
【００９８】
また、記録部５０２および制御部５０３は、図１を用いて説明した第１の実施形態の内容と同じ構成である。但し、本実施形態と第１の実施形態とが異なる点は、記録部５０２の記録位置情報生成手段１０４で生成された復旧データ位置情報は、制御部５０３に渡され、制御部５０３は復旧データ位置情報を不揮発メモリ５０４に記録する点である。
【００９９】
不揮発メモリ５０４には、図５に示す復旧データ位置情報を保持する。図５（Ａ）および図５（Ｂ）に示す復旧データ位置情報は、第１の実施形態と同様である。このように、復旧データ位置情報を記録媒体ではなく、不揮発メモリ５０４に記録しても、第一の実施形態に示した本発明の効果は同様に得られる。
【０１００】
また、復旧データ位置情報を記録媒体ではなく、不揮発メモリ５０４に記録する場合には、ＡＶデータの記録中に復旧データが更新される度に、不揮発メモリ５０４内の復旧データ位置情報が更新されるだけなので、記録媒体のヘッドシークは発生しない。このため、ＡＶデータの書き込みビットレートを低下させることなく、復旧処理時の復旧データのサーチが第１の実施形態よりも高速に実現可能となる。
【０１０１】
また、本実施の形態における記録再生方法は、図６、図７を用いて説明した第１の実施形態の内容と同じ手順である。但し、本実施形態と第１の実施形態とが異なる点は、記録位置情報生成ステップ４０８で生成された復旧データ位置情報は不揮発メモリ５０４に記録されるように指示される点である。また、復旧データ位置情報読み取りステップ７０２で読み取られる復旧データ位置情報は、不揮発メモリ５０４から読み取られる点である。
【０１０２】
また、一般のＡＶ機器において復旧データをディスクに記録せずに不揮発メモリに記録するものもある。ディスクに復旧データを記録し不揮発メモリに復旧データの記録位置情報を記録すれば、必要な不揮発メモリのサイズを小さく出来るので、ＡＶ機器のコストダウンが図れる。
【０１０３】
さらに、記録部５０２と不揮発メモリ５０４を記録装置本体から取り外し可能にすれば、復旧処理機能を有した別の機器で復旧処理を行うことが可能となる。特にムービーの場合は、録画中にバッテリー切れや機器破損により、ムービー本体が動作不能となっても、記録部５０２と不揮発メモリ５０４をムービー本体より取り外し、取り外した記録部５０２と不揮発メモリ５０４を別の機器に装着すれば、別の機器で、データは再生可能な状態に復旧することができる。また、復旧データの内容は、第一の実施形態に説明した内容と同様である。
【０１０４】
なお、本実施形態では、エンコード部５０１において入力ＡＶ信号を圧縮符号化する場合の構成を用いて説明したが、ＢＳデジタル放送のように、既に圧縮符号化されたＡＶ信号をそのまま記録する場合は、エンコード部５０１では入力ＡＶ信号を圧縮符号化せずに、入力ＡＶ信号からパラメータの抽出のみを行なう。この場合においても、本発明の効果は同様に得られる。
【産業上の利用可能性】
【０１０５】
本発明にかかる記録装置、記録方法は、オーディオ、ビデオ、のほか種々のデータを記録する分野に利用することができる。
【図面の簡単な説明】
【０１０６】
【図１】本発明の第１の実施形態における記録装置のブロック図
【図２】本発明の第１の実施形態における記録媒体のデータ配置の説明図
【図３】本発明の第１の実施形態におけるＡＶデータと復旧データにインターリーブ配置の説明図
【図４】本発明の第１の実施形態におけるＡＶデータと復旧データにインターリーブ配置の説明図
【図５】本発明の第１の実施形態における復旧データ配置位置の説明図
【図６】本発明の第１の実施形態における記録処理のフローチャート図
【図７】本発明の第１の実施形態における再生に必要な復旧処理のフローチャート図
【図８】本発明の第２の実施形態における記録装置のブロック図
【図９】本発明の動作を説明する説明図
【符号の説明】
【０１０７】
１０１  エンコード部
１０２  記録部
１０３  制御部
１０４  記録位置情報生成手段
１０５  前の復旧データ位置情報生成手段
１０６  後続の復旧データ位置情報生成手段
１０７  差分情報生成手段
１０８  復旧データ分割手段
１０９  インタリーブ手段
１１０  終了フラグ記録手段
１１１  復旧データ作成手段
１１２  ファイル管理情報生成手段
１１３  再生時間取得手段
１１４  Ｉピクチャアドレス取得手段
１１５  シリアル番号生成手段
１１６  時間情報生成手段
１１７  識別情報生成手段
４０１  復旧データ作成ステップ
４０２  ファイル管理情報生成ステップ
４０３  再生時間取得ステップ
４０４  Ｉピクチャアドレス取得ステップ
４０５  シリアル番号生成ステップ
４０６  時間情報生成ステップ
４０７  識別情報生成ステップ
４０８  記録位置情報生成ステップ
４０９  前の復旧データ位置情報生成ステップ
４１０  後続の復旧データ位置情報生成ステップ
４１１  差分情報生成ステップ
４１２  復旧データ分割ステップ
４１３  インタリーブステップ
５０１  記録部
５０２  記録部
５０３  制御部
５０４  不揮発メモリ
【図１】
2004178788.tif 000003
【図２】
2004178788.tif 000004
【図３】
2004178788.tif 000005
【図４】
2004178788.tif 000006
【図５】
2004178788.tif 000007
【図６】
2004178788.tif 000008
【図７】
2004178788.tif 000009
【図８】
2004178788.tif 000010
【図９】
2004178788.tif 000011